(57)【要約】無線通信の方法は、非周期的なサウンディング基準信号（ＳＲＳ）送信をトリガする、オーバラップ情報を受信することを含む。この方法はまた、受信したトリガ情報にしたがって、オーバラップ情報を処理することをも含む。オーバラップ情報は、非周期的なＳＲＳ送信に矛盾しないコンフィギュレーション情報を備えうる。この場合、処理は、コンフィギュレーション情報にしたがって、非周期的なＳＲＳを送信することを含む。オーバラップ情報が、非周期的なＳＲＳ送信に矛盾するコンフィギュレーションを有する場合、処理は、オーバラップ情報を、エラー・イベントとして取り扱うことを含む。オーバラップ情報は、アップリンク許可で受信されたトリガと、ダウンリンク許可で受信されたトリガでありうる。無線システムは、複数の成分キャリアを含むマルチキャリア・システムでありうる。
2013544042.tif 000002
【特許請求の範囲】
【請求項１】
無線システムにおける無線通信の方法であって、
非周期的なサウンディング基準信号（ＳＲＳ）送信をトリガする、オーバラップ情報を受信することと、
受信したトリガ情報にしたがって、前記オーバラップ情報を処理することと、
を備える方法。
【請求項２】
前記オーバラップ情報は、前記非周期的なＳＲＳ送信に矛盾しないコンフィギュレーション情報を備え、
前記処理することは、前記コンフィギュレーション情報にしたがって、非周期的なＳＲＳを送信することを備える、請求項１に記載の方法。
【請求項３】
前記オーバラップ情報は、前記非周期的なＳＲＳ送信に矛盾するコンフィギュレーションを備え、
前記処理することは、前記オーバラップ情報をエラー・イベントとして取り扱うことを備える、請求項１に記載の方法。
【請求項４】
前記オーバラップ情報は、アップリンク許可で受信されたトリガと、ダウンリンク許可で受信されたトリガとを備える、請求項１に記載の方法。
【請求項５】
前記無線システムは、複数の成分キャリアを含むマルチキャリア・システムを備える、請求項１に記載の方法。
【請求項６】
複数の成分キャリアを含むマルチキャリア・システムにおける無線通信の方法であって、
前記複数の成分キャリアのうちの少なくとも１つの成分キャリアのための、非周期的なサウンディング基準信号（ＳＲＳ）送信をトリガする情報を含むダウンリンク許可を受信することと、
受信したトリガ情報にしたがって前記ＳＲＳを送信することと、
を備える方法。
【請求項７】
前記複数の成分キャリアのうちの少なくとも１つの成分キャリアは、システム情報ブロック−２（ＳＩＢ−２）リンク・アップリンク成分キャリアを備える、請求項６に記載の方法。
【請求項８】
無線通信システムにおける無線通信のための装置であって、
非周期的なサウンディング基準信号（ＳＲＳ）送信をトリガする、オーバラップ情報を受信する手段と、
受信したトリガ情報にしたがって、前記オーバラップ情報を処理する手段と、
を備える装置。
【請求項９】
前記オーバラップ情報は、前記非周期的なＳＲＳ送信に矛盾しないコンフィギュレーション情報を備え、
前記処理する手段は、前記コンフィギュレーション情報にしたがって、非周期的なＳＲＳを送信する手段を備える、請求項８に記載の装置。
【請求項１０】
前記オーバラップ情報は、前記非周期的なＳＲＳ送信に矛盾するコンフィギュレーションを備え、
前記処理する手段は、前記オーバラップ情報をエラー・イベントとして取り扱う手段を備える、請求項８に記載の装置。
【請求項１１】
前記オーバラップ情報は、アップリンク許可で受信されたトリガと、ダウンリンク許可で受信されたトリガとを備える、請求項８に記載の装置。
【請求項１２】
前記無線システムは、複数の成分キャリアを含むマルチキャリア・システムを備える、請求項８に記載の装置。
【請求項１３】
複数の成分キャリアを含むマルチキャリア・システムにおける無線通信の装置であって、
前記複数の成分キャリアのうちの少なくとも１つの成分キャリアのための、非周期的なサウンディング基準信号（ＳＲＳ）送信をトリガする情報を含むダウンリンク許可を受信する手段と、
受信したトリガ情報にしたがって前記ＳＲＳを送信する手段と、
を備える装置。
【請求項１４】
前記複数の成分キャリアのうちの少なくとも１つの成分キャリアは、システム情報ブロック−２（ＳＩＢ−２）リンク・アップリンク成分キャリアを備える、請求項１３に記載の装置。
【請求項１５】
無線通信システムにおける無線通信のための装置であって、
メモリと、
非周期的なサウンディング基準信号（ＳＲＳ）送信をトリガする、オーバラップ情報を受信し、
受信したトリガ情報にしたがって、前記オーバラップ情報を処理する
ように構成され、前記メモリに接続された少なくとも１つのプロセッサと、
を備える装置。
【請求項１６】
前記オーバラップ情報は、前記非周期的なＳＲＳ送信に矛盾しないコンフィギュレーション情報を備え、
前記少なくとも１つのプロセッサは、前記コンフィギュレーション情報にしたがって、非周期的なＳＲＳを送信することによって処理するように構成された、請求項１５に記載の装置。
【請求項１７】
前記オーバラップ情報は、前記非周期的なＳＲＳ送信に矛盾するコンフィギュレーションを備え、
前記少なくとも１つのプロセッサは、前記オーバラップ情報をエラー・イベントとして取り扱うことによって処理するように構成された、請求項１５に記載の装置。
【請求項１８】
前記オーバラップ情報は、アップリンク許可で受信されたトリガと、ダウンリンク許可で受信されたトリガとを備える、請求項１５に記載の装置。
【請求項１９】
前記無線システムは、複数の成分キャリアを含むマルチキャリア・システムを備える、請求項１５に記載の装置。
【請求項２０】
複数の成分キャリアを含むマルチキャリア・システムにおける無線通信のための装置であって、
メモリと、
前記複数の成分キャリアのうちの少なくとも１つの成分キャリアのための、非周期的なサウンディング基準信号（ＳＲＳ）送信をトリガする情報を含むダウンリンク許可を受信し、
受信したトリガ情報にしたがって前記ＳＲＳを送信する
ように構成され、前記メモリに接続された少なくとも１つのプロセッサと、
を備える装置。
【請求項２１】
前記複数の成分キャリアのうちの少なくとも１つの成分キャリアは、システム情報ブロック−２（ＳＩＢ−２）リンク・アップリンク成分キャリアを備える、請求項２０に記載の装置。
【請求項２２】
無線ネットワークにおける無線通信のためのコンピュータ・プログラム製品であって、
記録された非一時的なプログラム・コードを有する非一時的なコンピュータ読取可能な媒体を備え、前記プログラム・コードは、
非周期的なサウンディング基準信号（ＳＲＳ）送信をトリガする、オーバラップ情報を受信するためのプログラム・コードと、
受信したトリガ情報にしたがって、前記オーバラップ情報を処理するためのプログラム・コードと
を備える、コンピュータ・プログラム製品。
【請求項２３】
複数の成分キャリアを含むマルチキャリア・システムにおける無線通信のためのコンピュータ・プログラム製品であって、
記録された非一時的なプログラム・コードを有する非一時的なコンピュータ読取可能な媒体を備え、前記プログラム・コードは、
前記複数の成分キャリアのうちの少なくとも１つの成分キャリアのための、非周期的なサウンディング基準信号（ＳＲＳ）送信をトリガする情報を含むダウンリンク許可を受信するためのプログラム・コードと、
受信したトリガ情報にしたがって、前記ＳＲＳを送信するためのプログラム・コードと
を備える、コンピュータ・プログラム製品。
【発明の詳細な説明】
【関連出願に対する相互参照】
【０００１】
本願は、２０１０年９月３０日に出願され「キャリア・アグリゲーションのための非周期的なＳＲＳ」（APERIODIC SRS FOR CARRIER AGGREGATION）と題された米国仮特許出願６１／３８８，５１９号と、２０１１年９月２８日に出願され「キャリア・アグリゲーションのための非周期的なＳＲＳ」（APERIODIC SRS FOR CARRIER AGGREGATION）と題された米国仮特許出願１３／２４７，５８４号との利益を主張する。これらの開示は、全体が本明細書において参照によって明確に組み込まれている。
【技術分野】
【０００２】
本開示の態様は、一般に、無線通信システムに関し、さらに詳しくは、キャリア・アグリゲーション（ＣＡ）コンフィギュレーションにおける非周期的なサウンディング基準信号（ＳＲＳ）をトリガすることに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクにおいては、基地局からの送信が、近隣の基地局からの送信による干渉を観察しうる。アップリンクにおいては、ＵＥからの送信が、近隣の基地局と通信する他のＵＥからの送信への干渉をもたらしうる。この干渉は、ダウンリンクとアップリンクとの両方のパフォーマンスを低下させうる。以前の技術は、例えば、ＵＬ周波数−選択的スケジューリング、ＵＬ電力制御、時間トラッキング、時分割デュプレクス（ＴＤＤ）のためのＵＬ−ＤＬ（アップリンク−ダウンリンク）チャネル相互性を利用するダウンリンク・スケジューリングのような機能を容易にするために、アップリンク（ＵＬ）における周期的なサウンディング基準信号（ＳＲＳ）送信をサポートしていた。
【０００６】
非周期的なＳＲＳ送信は、アップリンク許可によってトリガされうるが、複数のアップリンクＣＣ（成分キャリア）の場合における動的な非周期的なＳＲＳのトリガの詳細は、以前は決定されていなかった。
【発明の概要】
【０００７】
本開示の態様によれば、無線通信の方法は、非周期的なサウンディング基準信号（ＳＲＳ）送信をトリガする、オーバラップ情報を受信すること、を含む。この方法はまた、受信したトリガ情報にしたがって、オーバラップ情報を処理すること、を含む。
【０００８】
別の態様では、複数の成分キャリアを有するマルチキャリア・システムにおける無線通信の方法は、複数の成分キャリアのうちの少なくとも１つの成分キャリアのための、非周期的なサウンディング基準信号（ＳＲＳ）送信をトリガする情報を含むダウンリンク許可を受信すること、を含む。この方法はまた、受信したトリガ情報にしたがってＳＲＳを送信すること、を含む。
【０００９】
また別の態様では、無線通信のための装置は、非周期的なサウンディング基準信号（ＳＲＳ）送信をトリガする、オーバラップ情報を受信する手段、を含む。この装置はまた、受信したトリガ情報にしたがって、オーバラップ情報を処理する手段、を含む。
【００１０】
さらに別の態様では、複数の成分キャリアを有するマルチキャリア・システムにおける無線通信の装置は、複数の成分キャリアのうちの少なくとも１つの成分キャリアのための、非周期的なサウンディング基準信号（ＳＲＳ）送信をトリガする情報を含むダウンリンク許可を受信する手段、を含む。この装置はまた、受信したトリガ情報にしたがってＳＲＳを送信する手段、を含む。
【００１１】
さらに別の態様では、無線通信のための装置は、メモリと、メモリに接続された少なくとも１つのプロセッサとを含む。プロセッサ（単数または複数）は、非周期的なサウンディング基準信号（ＳＲＳ）送信をトリガする、オーバラップ情報を受信する、ように構成される。プロセッサ（単数または複数）はまた、受信したトリガ情報にしたがって、オーバラップ情報を処理する、ように構成される。
【００１２】
別の態様では、複数の成分キャリアを有するマルチキャリア・システムにおける無線通信のための装置は、メモリと、メモリに接続された少なくとも１つのプロセッサとを含む。プロセッサ（単数または複数）は、複数の成分キャリアのうちの少なくとも１つの成分キャリアのための、非周期的なサウンディング基準信号（ＳＲＳ）送信をトリガする情報を含むダウンリンク許可を受信する、ように構成される。プロセッサ（単数または複数）はまた、受信したトリガ情報にしたがってＳＲＳを送信する、ように構成される。
【００１３】
また別の態様では、無線ネットワークにおける無線通信のためのコンピュータ・プログラム製品は、記録された非一時的なプログラム・コードを有する非一時的なコンピュータ読取可能な媒体を有する。このプログラム・コードは、非周期的なサウンディング基準信号（ＳＲＳ）送信をトリガする、オーバラップ情報を受信するためのプログラム・コード、を含む。このプログラム・コードはまた、受信したトリガ情報にしたがって、オーバラップ情報を処理するためのプログラム・コード、を含む。
【００１４】
またさらなる態様では、記録された非一時的なプログラム・コードを有する読取可能な媒体における、無線通信のためのコンピュータ・プログラム製品である。このプログラム・コードは、複数の成分キャリアのうちの少なくとも１つの成分キャリアのための、非周期的なサウンディング基準信号（ＳＲＳ）送信をトリガする情報を含むダウンリンク許可を受信するためのプログラム・コード、を含む。このプログラム・コードはまた、受信したトリガ情報にしたがってＳＲＳを送信するためのプログラム・コード、を含む。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
【図１】図１は、テレコミュニケーション・システムの例を概念的に例示するブロック図である。
【図２Ａ】図２Ａは、テレコミュニケーション・システムにおけるダウンリンク・フレーム構造の一例を概念的に例示するブロック図である。
【図２Ｂ】図２Ｂは、アップリンク通信におけるフレーム構造の例を概念的に例示するブロック図である。
【図３】図３は、本開示の１つの態様にしたがって構成された基地局／ｅＮＢとＵＥとの設計を概念的に例示するブロック図である。
【図４Ａ】図４Ａは、連続的なキャリア・アグリゲーション・タイプを開示する。
【図４Ｂ】図４Ｂは、不連続なキャリア・アグリゲーション・タイプを開示する。
【図５Ａ】図５Ａは、ＭＡＣレイヤ・データ・アグリゲーションを開示する。
【図５Ｂ】図５Ｂは、ＰＨＹレイヤ・データ・アグリゲーションを開示する。
【図６】図６は、ＣＣ１およびＣＣ２のための許可に特有のＳＲＳトリガのための設定の例を例示するテーブルである。
【図７Ａ】図７Ａは、キャリア・アグリゲーション構成におけるＳＲＳの非周期的な送信を例示するフローチャートである。
【図７Ｂ】図７Ｂは、キャリア・アグリゲーション構成におけるＳＲＳの非周期的な送信を例示するフローチャートである。
【図８Ａ】図８Ａは、すべての成分キャリアに共通の、または、成分キャリアに特有のトリガの方法のフローチャートである。
【図８Ｂ】図８Ｂは、トリガ情報がオーバラップされうる場合におけるトリガの方法のフローチャートである。
【図８Ｃ】図８Ｃは、トリガ情報がオーバラップされうる場合におけるトリガの方法のフローチャートである。
【図８Ｄ】図８Ｄは、トリガ情報がオーバラップされうる場合におけるトリガの方法のフローチャートである。
【図８Ｅ】図８Ｅは、トリガ情報がオーバラップされうる場合におけるトリガの方法のフローチャートである。
【発明を実施するための形態】
【００１７】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１９】
図１は、非周期的なＳＲＳトリガが実施されうる、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００２０】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２１】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２２】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２３】
無線ネットワーク１００は、同期動作または非同期動作を支援しうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２４】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２５】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２６】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２７】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２８】
図２Ａは、ＬＴＥにおいて使用されるダウンリンクＦＤＤ構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２Ａに示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２９】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２Ａに示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３０】
図２Ａで見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２Ａに示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２Ａに示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３１】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３２】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００３３】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３４】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３５】
図２Ｂは、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３６】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。サブフレームの最後のシンボルでサウンディング基準信号（ＳＲＳ）が送信されうる。
【００３７】
ＰＳＣ（一次同期キャリア）、ＳＳＣ（二次同期キャリア）、ＣＲＳ（共通基準信号）、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３８】
図３は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ３３４ａ乃至３３４ｔを備え、ＵＥ１２０は、アンテナ３５２ａ乃至３５２ｒを備えうる。
【００３９】
基地局１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ３２０は、データ・シンボルおよび制御シンボルをそれぞれ取得するために、データ情報および制御情報を処理（例えば、符号化およびシンボル・マップ）しうる。プロセッサ３２０はさらに、例えばＰＳＳ、ＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、出力シンボル・ストリームを変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのダウンリンク信号は、アンテナ３３４ａ乃至３３４ｔによってそれぞれ送信されうる。
【００４０】
ＵＥ１２０では、アンテナ３５２ａ乃至３５２ｒが、基地局１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００４１】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を受信し、これらを処理しうる。
【００４２】
プロセッサ３６４はさらに、基準信号のための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）変調器３５４ａ乃至３５４ｒによって処理され、基地局１１０へ送信される。基地局１１０では、ＵＥ１２０からのアップリンク信号が、アンテナ３３４によって受信され、復調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得される。プロセッサ３３８は、復号されたデータをデータ・シンク３３９に提供し、復号された制御情報をコントローラ／プロセッサ３４０へ提供しうる。基地局１１０は、例えばＸ２インタフェース３４１を介して、他の基地局へメッセージを送信しうる。
【００４３】
コントローラ／プロセッサ３４０，３８０は、基地局１１０およびＵＥ１２０それぞれにおける動作を指示しうる。基地局１１０におけるプロセッサ３４０および／またはその他のプロセッサおよびモジュールは、本明細書で説明された技術のためのさまざまな処理の実行または指示を行いうる。ＵＥ１２０におけるプロセッサ３８０および／またはその他のプロセッサおよびモジュールは、図７−８Ｅに例示された機能ブロック、および／または、本明細書に記載された技術のためのその他の処理の実行または指示を行いうる。メモリ３４２，３８２は、基地局１１０およびＵＥ１２０それぞれのためのデータおよびプログラム・コードを格納しうる。スケジューラ３４４は、ダウンリンクおよび／またはアップリンクでのデータ送信のためにＵＥをスケジュールしうる。
【００４４】
１つの構成では、無線通信のためのＵＥ１２０は、オーバラップする非周期的なＳＲＳトリガ情報を受信する手段、を含む。１つの態様では、前述した手段は、前述された手段によって記載された機能を実行するように構成されたコントローラ／プロセッサ３８０、メモリ３８２、受信プロセッサ３５８、復調器３５４ａ、および／または、アンテナ３５２ａでありうる。ＵＥ１２０はまた、オーバラップ情報を処理する手段、を含む。１つの態様では、前述の手段は、前述の手段によって詳述された機能を実行するように構成されたコントローラ／プロセッサ３８０および／またはメモリ３８２でありうる。別の態様では、前述した手段は、前述した手段によって記述された機能を実行するように構成されたモジュールまたは任意の装置でありうる。
【００４５】
１つの構成では、無線通信のためのＵＥ１２０は、ダウンリンク許可情報を受信する手段、を含む。１つの態様では、前述した手段は、前述された手段によって記載された機能を実行するように構成されたコントローラ／プロセッサ３８０、メモリ３８２、受信プロセッサ３５８、復調器３５４ａ、および／または、アンテナ３５２ａでありうる。ＵＥ１２０はさらに、ＳＲＳを送信する手段、を含む。１つの態様では、前述した手段は、前述された手段によって記載された機能を実行するように構成されたコントローラ／プロセッサ３８０、メモリ３８２、送信プロセッサ３６４、変調器３５４ａ、および／または、アンテナ３５２ａでありうる。別の態様では、前述した手段は、前述した手段によって記載された機能を実行するように構成されたモジュールまたは任意の装置でありうる。
【００４６】
（キャリア・アグリゲーション）  
ＬＴＥアドバンストは、各方向における送信のために使用される、最大で合計１００ＭＨｚのキャリア・アグリゲーションに割り当てられた２０ＭＨｚ帯域幅（５成分のキャリア）のスペクトルを用いる。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。これらの非対称なＦＤＤ割当は、スペクトルを節約し、ブロードバンド加入者による一般的に非対称な帯域幅利用のために良く適合する。
【００４７】
（キャリア・アグリゲーション・タイプ）  
ＬＴＥアドバンスト・モバイル・システムのために、２つのタイプのキャリア・アグリゲーション（ＣＡ）方法、すなわち連続的なＣＡと不連続的なＣＡとが提案されている。これらは図４Ａおよび図４Ｂに例示されている。利用可能な複数の成分キャリアが、周波数帯域に沿って分離されている場合、不連続なＣＡが生じる（図４Ｂ）。一方、利用可能な複数の成分キャリアが、互いに隣接している場合、連続的なＣＡが生じる（図４Ａ）。ＬＴＥアドバンストＵＥの１つのユニットにサービス提供するために、不連続なＣＡと連続的なＣＡとの両方が、複数のＬＴＥ／成分キャリアをアグリゲートする。
【００４８】
ＬＴＥアドバンストＵＥでは、不連続なＣＡを用いて、複数のＲＦ受信ユニットおよび複数のＦＦＴが配置されうる。なぜなら、これらキャリアは、周波数帯域に沿って分離されているからである。不連続なＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において大きく変動しうる。
【００４９】
したがって、不連続なＣＡアプローチにおけるブロードバンド・データ送信をサポートするために、異なる成分キャリアのための符号化、変調、および送信電力を適応的に調節する方法が使用されうる。例えば、エンハンスト・ノードＢ（ｅＮＢ）が、各成分キャリアにおいて固定された送信電力を有するＬＴＥアドバンスト・システムでは、各成分キャリアの有効な通信範囲またはサポート可能な変調および符号化は異なりうる。
【００５０】
（データ・アグリゲーション・スキーム）  
図５Ａおよび図５Ｂは、ＩＭＴアドバンスト・システムのため、媒体アクセス制御（ＭＡＣ）レイヤ（図５Ａ）または物理レイヤ（図５Ｂ）において、異なる成分キャリアからの送信ブロック（ＴＢ）をアグリゲートすることを例示する。ＭＡＣレイヤ・データ・アグリゲーションを用いて、各成分キャリアは、ＭＡＣレイヤ内に、自己の独立したハイブリッド自動反復要求（ＨＡＲＱ）エンティティと、物理レイヤ内に、自己の送信コンフィギュレーション・パラメータ（例えば、送信電力、変調スキームおよび符号化スキーム、およびマルチ・アンテナ構成）とを有する。一方、１つのＨＡＲＱエンティティは、物理レイヤ・データ・アグリゲーション方法を用いて、アグリゲートされたすべての成分キャリアのために使用され、アグリゲートされた帯域幅全体について、新たな送信コンフィギュレーション・パラメータが指定されねばならない。ＭＡＣレイヤ・データ・アグリゲーションを用いて、これら送信パラメータは、各成分キャリアについて独立して設定されるので、ＭＡＣレイヤ・データ・アグリゲーションは、物理レイヤ・データ・アグリゲーションと比べて、アップリンクとダウンリンクとの両方において、より柔軟性のある、より効率的なデータ送信をサポートしうる。しかしながら、これは、多くの制御チャネルを犠牲にしうる。ＬＴＥシステムのための同じ物理レイヤおよびＭＡＣレイヤのコンフィギュレーション・パラメータおよびスキームが、将来のＬＴＥアドバンスト・システムにおいて使用されうるので、後方互換性が保証されうる。
【００５１】
（非対称なＣＡ）  
アップリンク・チャネルおよびダウンリンク・チャネルにおけるデータ・トラフィックは、非対称でありうる。この非対称性に対処するために、２方向において、アグリゲートされた成分キャリアの数は異なりうる。よって、ＬＴＥアドバンスト・システムにおけるスペクトル効率が改善されうる。しかしながら、ＬＴＥアドバンストｅＮＢにとって、ランダム・アクセス処理中に、ダウンリンクにおいてアンカ・キャリアとしてＵＥが使用している成分キャリアを把握することは困難であるので、非対称なＣＡは、ダウンリンク成分キャリア選択における曖昧さをもたらしうる。その結果、ｅＮＢは、ダウンリンクのためにＵＥによって選択された正確な成分キャリアを特定することなく、ＵＥへランダム・アクセス応答を送信することができない。この問題の解決のために使用されうる３つの方法がある。
【００５２】
第１の方法は、各成分キャリアにおいて、異なるパラメータを用いて、物理ランダム・アクセス・チャネル（ＰＲＡＣＨ）を設定する。ＵＥが、特定のダウンリンク成分キャリアのＰＲＡＣＨコンフィギュレーション・パラメータにしたがってランダム・アクセス要求を送信した場合、ｅＮＢは、アップリンク成分キャリアを使ってＵＥのＰＲＡＣＨプリアンブルをチェックすることによって、このダウンリンク成分キャリアを特定しうる。
【００５３】
第２の方法は、同じＰＲＡＣＨパラメータを用いて、すべてのダウンリンク成分キャリアを設定することを含む。これは、ランダム・アクセス要求に対して最初のランダム・アクセス応答を送信するために、ＵＥによって使用されるアップリンク・キャリアの、関連付けられたすべてのダウンリンク成分キャリアへブロードキャストすることを含む。この最初のランダム・アクセス応答は、例えばセル−ラジオ・ネットワーク・テンポラリ・インジケーションおよびアップリンク許可リソース割当のような、特定の送信コンフィギュレーション・パラメータおよび要求情報を有する。対応するｅＮＢは、ＵＥからのさらなる応答を受信すると、ＵＥが接続されているダウンリンク成分キャリア、すなわち、アンカ・キャリアを特定しうる。
【００５４】
第３の方法は、ランダム・アクセス処理に関連する制御チャネル（例えば、物理ブロードキャスト・チャネルおよび同期チャネル）を伝送するために、唯一のダウンリンク成分キャリアしか使用しない。すべてのアップリンク成分キャリアが、この共通のダウンリンク・キャリアにリンクしているので、ｅＮＢは、ＵＥが接続されているダウンリンク成分キャリアを検出する必要がない。この方法は、最初の２つの方法よりも簡単かもしれないが、負荷平準化またはシステム展開において柔軟ではない。時分割デュプレクス（ＴＤＤ）モードで動作するＬＴＥアドバンスト・システムのために、非対称なＣＡを達成するための別の方法は、アップリンク送信とダウンリンク送信のために割り当てられた時間スロットの比を調節することを含む。この方法によって、ＴＤＤシステムは、チャネル相互特性を利用して、ビームフォーミング技術およびプリコーディング技術の使用を容易にすることができるようになる。さらに、これは、アップリンク・チャネルとダウンリンク・チャネルとの間のリソース割当関係を単純化する。
【００５５】
（制御シグナリング）  
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００５６】
第２の方法は、異なる成分キャリアの制御チャネルを統合的に符号化することと、これら制御チャネルを、専用の成分キャリア内に配置することと、を含む。複数の成分キャリアのための制御情報は、この専用の制御チャネルにおけるシグナリング・コンテンツとして統合されるだろう。この結果、ＣＡにおけるシグナリング・オーバヘッドが低減されながら、ＬＴＥシステムにおける制御チャネル構造との後方互換性が維持される。
【００５７】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、ＬＴＥシステムと互換性をもたない。
【００５８】
（ハンドオーバ制御）  
ＣＡがＩＭＴアドバンストＵＥのために使用される場合、複数のセルにわたるハンドオーバ手順中に、送信連続性をサポートすることが望ましい。しかしながら、到来するＵＥのため、特定のＣＡ構成要件およびサービス品質（ＱｏＳ）要件を持つ十分なシステム・リソース（すなわち、良好な送信品質を持つ成分キャリア）を確保することは、次のｅＮＢのために魅力的でありうる。この理由は、２つ（またはそれ以上）の隣接するセル（ｅＮＢ）のチャネル条件が、特定のＵＥについて異なりうるからである。１つのアプローチでは、ＵＥは、各隣接セルにおいて、１つの成分キャリアのパフォーマンスしか測定しない。これは、ＬＴＥシステムにおけるものと同様の測定遅れ、複雑さ、およびエネルギ使用量を与える。対応するセルにおけるその他の成分キャリアのパフォーマンスの推定値は、１つの成分キャリアの測定結果に基づきうる。この推定値に基づいて、ハンドオーバ決定および送信構成が決定されうる。
【００５９】
（キャリア・アグリゲーションのための非周期的なＳＲＳ）  
非周期的なＳＲＳ（サウンディング基準信号）は、キャリア・アグリゲーション構成において必要とされるような、ＳＲＳ送信を提供しうる。ＳＲＳの主な用途は、アップリンクにおける周波数選択性スケジューリングをイネーブルするために、チャネル品質を推定することである。サブフレームにおける最後のＳＣ−ＦＤＭＡシンボルがＳＲＳを含んでいる。構成の例が、図２Ｂに示される。非周期的な送信は、限定される訳ではないが、例えば、アップリンク（ＵＬ）許可、ダウンリンク（ＤＬ）許可、および、グループ電力制御のための制御ブロックのように、ＵＥ（ユーザ機器）によって受信された情報によってトリガされうる。ダウンリンク許可は、ダウンリンクにおけるデータ送信のための制御情報を伝送しうる。アップリンク許可は、アップリンクにおけるデータ送信のための制御情報を伝送しうる。許可は、特定のＵＥへ、または、ＵＥのグループへ送信されうる。許可はまた、割当とも称されうる。ＳＲＳ送信は、暗黙的、およびＲＲＣ（ラジオ・リソース制御）設定の両方によってトリガされうる。この暗黙的なトリガは、ＵＥ許可が、意図されている成分キャリアにおける割当に関して、ＳＲＳをトリガしうることを仮定する。さらに、ダウンリンク許可が、ＳＲＳトリガのために使用される場合、ダウンリンク許可は、ＵＬ成分キャリアの非対称なＳＲＳにリンクされたシステム情報ブロック（ＳＩＢ−２）をトリガしうる。したがって、成分キャリア割当と、成分キャリアＳＲＳ送信トリガとの間には、暗黙のマッピングが存在する。したがって、ダウンリンク許可が、成分キャリアのダウンリンクにおけるＳＲＳをトリガした場合、ＳＲＳは、同じセルのアップリンクでトリガされうる。したがって、ＳＲＳのためのダウンリンクでのトリガの結果、セルのアップリンクにおける非周期的なＳＲＳ送信となる。セルは、ダウンリンク・キャリアとＳＩＢ２（システム情報ブロック−２）リンク・アップリンク・キャリア（単数または複数）とを含む。
【００６０】
ＲＲＣ設定トリガは、アップリンク（および恐らくはダウンリンク）許可が、事前設定された仕様にしたがって非周期的なＳＲＳをトリガしうると仮定する。成分キャリアＳＲＳトリガに対するビットの、設定されたマッピングは、ＵＥ特有であることができ、また、ＵＥによって使用されるすべての成分キャリアに共通でありうる。これらビットは、許可メッセージの一部である。あるいは、ＲＲＣ設定トリガは、ＵＥ特有および成分キャリア特有の両方でありうる。成分キャリア特有の設定を用いてトリガする場合、これらビットの意味は、許可が向けられている成分キャリアに特有である。いくつかの実施形態では、これらビットはまた、キャリア・インデクスを記述することに加えて、トリガされた各成分キャリアにおける非周期的なＳＲＳのために使用されるべきリソースを指定しうる。非周期的なＳＲＳトリガのために特化されたビット数に依存して、複数の成分キャリアを同時にトリガすることが可能となりうる。例えば、図６は、ＣＣ１およびＣＣ２のための許可に特有のＳＲＳトリガのための設定の例を示すテーブルを例示する。対照的に、図６の上半分のみ、すなわち、ＣＣ１の許可のためのテーブルのみが適用された場合、トリガがＵＥ特有であるがすべての成分キャリアにわたって共通である設定が、達成されうる。この場合、ビットは、成分キャリアにわたって変動しないという意味を持っている。
【００６１】
成分キャリアに特有の設定を用いることは、複数の成分キャリアに共通の設定を用いることよりもより良好な柔軟性を与える。なぜなら、少数（例えば、２）のビットによって、多くの異なるトリガ・オプションが、キャリアにわたってカバーされるようになるからである。
【００６２】
（トリガをオーバラップさせるためのルール）  
異なる許可からのトリガがオーバラップする場合（例えば、ＵＥ（ユーザ機器）が、異なる許可から、同じ成分キャリアについて複数の非周期的なＳＲＳトリガを受信した場合）、ＵＥの挙動を特定するためのルールが定義される。図６に示される例では、ＣＣ１に関する許可が、ビット１１を含み、ＣＣ２に関する許可がビット１１を含み、ＣＣ１とＣＣ２との両方が、オーバラップする。すなわち、両許可において、ＣＣ１とＣＣ２とについて、特定のパラメータ／リソースが指定されており、ＵＥは、どの許可に従うべきかが分からない。例えば、図６では、上半分におけるＵＬ  ＣＣ１に関する許可と、下半分におけるＣＣ２に関する許可との両方において、「１１」と記された行は、列「ＵＬ  ＣＣ１におけるＳＲＳ」においてｘと記されている。したがって、ＵＥは、同じ成分キャリアＣＣ１に関し、ＣＣ１に関する許可と、ＣＣ２に関する許可という異なる許可に由来する２つのＳＲＳトリガをそれぞれ受信する。典型的なパラメータ／リソースは、タイミング、ホッピング・パターン、帯域幅等を含む。
【００６３】
ＣＣ３はオーバラップしていない。なぜなら、ＣＣ１に関する許可は、ＣＣ３のトリガ・ビットしか含んでいないからである。したがって、オーバラップがない場合、ＵＥは、指示されたように進む。言い換えれば、オーバラップしないトリガは、おのおの、受信された許可において記述されたように実行される。前述された例の場合、非周期的なＳＲＳは、許可「１１」に関するＣＣ１に関する許可に基づいて、ＣＣ３でトリガされるだろう。
【００６４】
オーバラップするトリガの場合における可能なルールの例が、以下の通り記載されている。
【００６５】
（（受信された場合）ＰＣＣ許可からのトリガにのみ従う）  
第１のルールでは、ＰＣＣ（一次成分キャリア）許可を考慮する。キャリア・アグリゲーションが設定されている場合、ＵＥは、ネットワークとの１つのラジオ・リソース制御接続のみを有する。ＲＲＣ接続確立／再確立／ハンドオーバでは、１つのサービス提供セルが、非アクセス階層（ＮＡＳ）モビリティ情報（例えば、トラッキング領域識別情報）を提供し、ＲＲＣ接続再確立／ハンドオーバを用いて、セキュリティ入力を提供する。このセルは、一次セル（ＰＣｅｌｌ）と称される。ダウンリンクでは、ＰＣｅｌｌに対応するキャリアは、ダウンリンク一次成分キャリア（ＤＬ  ＰＣＣ）である一方、アップリンクでは、アップリンク一次成分キャリア（ＵＬ  ＰＣＣ）である。第１のルールでは、ＵＥは、（もしも受信されれば）ＰＣＣ（一次成分キャリア）許可からのトリガのみに従う。例えば、図６に示すように、ＵＥが、ＣＣ１に関する許可をフィールド１１で、ＣＣ２に関する許可をフィールド１１で受信し、ＣＣ２がＰＣＣである場合、ＵＥは、ＣＣ２に関する許可によって定義されたＳＲＳパラメータにしたがって、ＣＣ１およびＣＣ２において、非周期的なＳＲＳを送信するだろう。ＳＲＳパラメータは、送信コームｋＴＣ、開始物理リソース・ブロック割当ｎＲＲＣ、持続時間、ｓｒｓ−コンフィギュレーション・インデクスＩＳＲＳ、ＳＲＳ帯域幅ＢＳＲＳ、周波数ホッピング帯域幅ｂｈｏｐ、サイクリック・シフトｎｃｓＳＦＳ、および、アンテナ・ポート数Ｎｐを含みうる。オーバラップするトリガが、ＰＣＣ許可で受信されない場合、成分キャリア自身の許可からのトリガが使用される。オーバラップするトリガが、ＰＣＣ許可で受信されず、成分キャリア自身の許可でも受信されない場合、ＲＲＣによって定義された優先度（または、昇順／降順する（キャリア・インジケータ・フィールド）ＣＩＦインデクスまたはいくつかのその他のルール）にしたがって、トリガが使用される。例えば、ＲＲＣによって定義された優先度は、ＣＣ１からの許可が、ＣＣ２からの許可よりも優先することを示しうる。
【００６６】
（（もしも受信された場合）ＣＣ自身の許可からのトリガのみに従う）  
第２のルールは、ＵＥは、（もしも受信された場合）成分キャリア自身の許可からのトリガのみに従うことを提供する。繰り返すが、図６に示すように、ＵＥが、フィールド１１でＣＣ１に関する許可を、フィールド１１でＣＣ２に関する許可を受信し、ＣＣ２がＰＣＣである場合、ＵＥは、ＣＣ１に関する許可によって定義されたパラメータにしたがって、ＣＣ１で非周期的なＳＲＳを送信し、ＣＣ２に関する許可によって定義されたパラメータにしたがって、ＣＣ２で非周期的なＳＲＳを送信するだろう。さらに、オーバラップするトリガが、成分キャリア自身の許可で受信されない場合、ＰＣＣ許可からのトリガが使用されるだろう。オーバラップするトリガが、ＰＣＣ許可でも、成分キャリア自身の許可でも受信されない場合、ＲＲＣによって定義された優先度（または、昇順／降順するＣＩＦインデクス、またはその他いくつかのルール）にしたがうトリガが使用されるだろう。
【００６７】
（すべてのトリガに従う）  
別のルールでは、ＵＥは、各トリガに従う。例えば、非周期的なＳＲＳのために割り当てられたリソースが、各トリガにおいて同じである場合、ＵＥは、割り当てられたリソースでＳＲＳを送信する。非周期的なＳＲＳのために使用されるリソースが、トリガに特有である（すなわち、各トリガが、異なるリソースを割り当てる）場合、ＵＥは、異なる非周期的なＳＲＳ送信を、各割当について１つ送信しうる。例えば、異なる許可によって示されるように、各々が異なるリソースを有する複数のＳＲＳ送信が発生しうる。
【００６８】
（オーバラップするトリガをエラー・イベントとして解釈する）  
オーバラップするトリガが、ＵＥによって、エラー・イベントとして解釈され、非周期的なＳＲＳがトリガされない、別のルールが提供される。この実施形態では、ｅＮＢは、オーバラップしないトリガを補強することを期待されている。オーバラップしているトリガをＵＥが受信すると、ＵＥは、一般に、非周期的なＳＲＳ送信を開始しないだろう。１つの実施形態では、エラー・イベントは、ＳＲＳが、オーバラップするトリガを有する許可によってトリガされないと仮定する。前述した例では、オーバラップがない場合であっても、ＣＣ３における非周期的なＳＲＳはないだろうが、ＣＣ３に関するトリガを伝送するＣＣ１に関する許可が、他のオーバラップ・イベントを有する。別の実施形態では、エラー・イベントは、オーバラップするトリガのみを仮定する。前述した例では、エラー・イベントは、ＣＣ１およびＣＣ２となるであろう一方、ＣＣ３は、非周期的なＳＲＳ送信を有するであろう。
【００６９】
前述したように、図６のテーブルに示されるキャリア・インデクスに加えて、非周期的なＳＲＳトリガのためのビットが、トリガされた各成分キャリアにおける非周期的なＳＲＳ送信のために使用されるように、リソースを指定することも行いうる。トリガのための情報と、各キャリアのリソースとは、個別に、または、統合的に符号化されうる。図６に例示されるテーブルは、２ビットの例であるが、ＵＥ内の成分キャリア間、および、異なるＵＥ間での非周期的なＳＲＳにおけるさらなる柔軟性のために、追加のビットが追加されうる。１つの実施形態では、特定のキャリアのトリガ、および／または、非周期的なＳＲＳの動的な表示の目的のために、３ビットが専有される。１つの実施形態では、リソース情報は、例えば帯域幅割当のような周波数情報、例えば時間インスタンスのような時間情報、および／または、例えばＳＲＳシーケンスのようなシーケンス情報でありうる。時間インスタンスは、各成分キャリアのために定義された時間オフセットを称する。１つの態様では、異なる時間オフセット値が、異なるキャリアのために提供される。これによって、異なる成分キャリアにおける非周期的なＳＲＳ送信は、同時にトリガされても、同時に生じることはなくなる。特定の時間インスタンスにおいて、成分キャリアにおいて非周期的なＳＲＳ送信がある場合、任意の成分キャリアにおける同じユーザ機器のデータ・チャネル（例えば、ＰＵＳＣＨ）が、非周期的なＳＲＳが送信されるシンボルにおいてパンクチャされる。
【００７０】
許可ベースの非周期的なＳＲＳトリガに加えて、ＤＣＩ（ダウンリンク制御情報）フォーマット３／３Ａが、非周期的なＳＲＳトリガのために使用されうる。ＤＣＩは、ＰＤＣＣＨによって伝送されるメッセージであり、例えば、ＵＥのリソース割当、または、ＵＥのグループのような制御情報を含む。おのおののＰＤＣＣＨで送信される制御情報は、１または複数のダウンリンク許可、１または複数のアップリンク許可、電力制御情報、および／または、その他の情報を伝送しうる。異なるシナリオは、異なるパラメータがシグナルされることを必要とする。ＤＣＩメッセージは、異なるパラメータをシグナルする異なるフォーマットを有する。ＤＣＩフォーマット３／３ａは、グループ電力制御用である。ＤＣＩフォーマット３は、複数のユーザのために、ＰＵＣＣＨおよびＰＵＳＣＨで、電力調節のための２ビットのＴＰＣコマンドを提供する。ＤＣＩフォーマット３ａは、複数のユーザのために、ＰＵＣＣＨおよびＰＵＳＣＨで、電力調節のための１ビットのＴＰＣコマンドを提供する。グループ電力制御では、各成分キャリアのために、ＴＰＣインデクス（送信電力制御インデクス）が設定されうる。同様に、各成分キャリアのために、ＳＲＳインデクスが定義されうる。トリガは、グループＴＰＣとともに送信されうるか、または、ＳＲＳ非周期的ＲＮＴＩ（ラジオ・ネットワーク・テンポラリ識別子）とともに個別にスクランブルされうる。１つの実施形態では、ＳＲＳインデクスは、受信グループ電力制御ブロックにおいて、トリガ情報の位置を定義するように構成される。ＳＲＳインデクスは、成分キャリア特有、複数の成分キャリアに共通、および／または、成分キャリアのグループに共通でありうる。
【００７１】
図７Ａは、無線通信の方法７００を示すフローチャートである。この方法は、ブロック７０２において、オーバラップする非周期的なＳＲＳトリガ情報を受信することを含む。ブロック７０４において、このオーバラップ情報は処理される。
【００７２】
図７Ｂは、無線通信の方法７５０を示すフローチャートである。この方法は、ブロック７１２において、非周期的なＳＲＳをトリガするダウンリンク許可情報を受信することを含む。ブロック７１４では、受信されたトリガ情報にしたがってＳＲＳが送信される。
【００７３】
図８Ａ−８Ｅは、キャリア・アグリゲーション構成における非周期的なＳＲＳ送信の方法を例示するフローチャートである。図８Ａでは、ブロック８０２において、ＵＥが、トリガ情報を受信する。ブロック８０４では、このトリガが、１つの成分キャリアに関してであるか、複数の成分キャリアに関してであるかをＵＥが判定する。ブロック８０６では、ＳＲＳトリガは、ＵＥ特有であり、かつ、１つの成分キャリアに関してである。ブロック８０８では、ＳＲＳトリガは、ＵＥ特有であり、かつ、複数の成分キャリアに関してである。
【００７４】
図８Ｂでは、ブロック８１０において、ＵＥが、トリガ情報を受信する。ＵＥは、ブロック８１２において、このトリガ情報が、オーバラップしているか否かを判定する。トリガ情報がオーバラップしていない場合、ＵＥは、受信したトリガに記述されているように、非周期的なＳＲＳを送信する。ブロック８０６をご覧いただきたい。トリガ情報がオーバラップしている場合、ＵＥは、ブロック８１４において、このトリガが、ＰＣＣで受信されたか否かを判定する。トリガが、ＰＣＣで受信されている場合、ＵＥは、ブロック８１６において、ＰＣＣで受信されたトリガにしたがって設定された非周期的なＳＲＳを送信する。トリガが、ＰＣＣで受信されなかった場合、ＵＥは、ブロック８１８において、このトリガが、成分キャリア自身の許可で受信されたか否かを判定する。受信されたと判定された場合、ＵＥは、ブロック８２０において、ＣＣ自身の許可で受信されたトリガに基づいて、非周期的なＳＲＳを送信する。トリガが成分キャリア自身の許可で受信されなかった場合、ＵＥは、ブロック８２２において、ＲＲＣによって定義された優先度に基づいて選択されたトリガにしたがって、非周期的なＳＲＳを送信する。
【００７５】
図８Ｃでは、ブロック８１０において、ＵＥが、トリガ情報を受信する。ブロック８１２において、ＵＥは、このトリガ情報が、オーバラップしているか否かを判定する。トリガ情報がオーバラップしていない場合、ＵＥは、受信されたトリガ情報によって設定された非周期的なＳＲＳを送信する。ブロック８０６をご覧いただきたい。トリガ情報がオーバラップしている場合、ＵＥは、ブロック８２４において、このトリガが、成分キャリア自身の許可で受信されたか否かを判定する。このトリガが、ＣＣ自身の許可で受信されている場合、ＵＥは、ＣＣで受信された許可に記述されたように、非周期的なＳＲＳを送信する。ブロック８２６をご覧いただきたい。トリガがＣＣ自身の許可で受信されなかった場合、ＵＥは、ブロック８２８において、この許可がＰＣＣで受信されたか否かを判定する。この許可がＰＣＣで受信されている場合、ＵＥは、ＰＣＣで受信されたトリガによって定義されたパラメータにしたがって、非周期的なＳＲＳを送信する。ブロック８３０をご覧いただきたい。許可がＰＣＣで受信されていない場合、ＵＥは、ＲＲＣによって定義された優先度に基づいて選択されたトリガにしたがって、非周期的なＳＲＳを送信する。ブロック８３２をご覧いただきたい。
【００７６】
図８Ｄでは、ブロック８１０において、ＵＥは、トリガ情報を受信する。ブロック８１２において、ＵＥは、このトリガ情報がオーバラップしているか否かを判定する。例えば、非周期的なＳＲＳは、アップリンク許可とダウンリンク許可との両方によって同時にトリガされたかもしれない。トリガ情報がオーバラップしていない場合、ＵＥは、受信したトリガリング情報に記述されたリソースを用いて、非周期的なＳＲＳを送信する。ブロック８０６をご覧いただきたい。トリガ情報がオーバラップしていない場合、ＵＥは、ブロック８３４において、すべてのトリガに従う。例えば、コンフィギュレーションが異なれば、複数のＳＲＳが送信されるだろう。コンフィギュレーションが矛盾していない場合、ＳＲＳは、ユニークなコンフィギュレーションにしたがって送信される。このようなルールは、キャリア・アグリゲーション構成の有る場合と、無い場合との両方に適合する
図８Ｅでは、ブロック８１０において、ＵＥは、トリガ情報を受信する。ブロック８１２において、ＵＥは、このトリガ情報がオーバラップしているか否かを判定する。トリガ情報がオーバラップしていない場合、ＵＥは、受信されたトリガ情報によって設定された非周期的なＳＲＳを送信する。ブロック８０６をご覧いただきたい。トリガ情報がオーバラップしており、異なるコンフィギュレーション情報を含んでいる場合、ＵＥは、オーバラップしているトリガを、エラー・イベントとして解釈し、非周期的なＳＲＳはトリガされない。ブロック８３６をご覧いただきたい。
【００７７】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７８】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７９】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された前述した何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８０】
本明細書の開示に関連して説明された方法またはアルゴリズムのステップは、ハードウェアで直接的に、プロセッサによって実行されるソフトウェア・モジュールで、またはこの２つの組合せで実施されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８１】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８２】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013544042.tif 000003
【図２Ａ】
2013544042.tif 000004
【図２Ｂ】
2013544042.tif 000005
【図３】
2013544042.tif 000006
【図４Ａ】
2013544042.tif 000007
【図４Ｂ】
2013544042.tif 000008
【図５Ａ】
2013544042.tif 000009
【図５Ｂ】
2013544042.tif 000010
【図６】
2013544042.tif 000011
【図７Ａ】
2013544042.tif 000012
【図７Ｂ】
2013544042.tif 000013
【図８Ａ】
2013544042.tif 000014
【図８Ｂ】
2013544042.tif 000015
【図８Ｃ】
2013544042.tif 000016
【図８Ｄ】
2013544042.tif 000017
【図８Ｅ】
2013544042.tif 000018
【国際調査報告】
2013544042.tif 000019
2013544042.tif 000020